(57)【要約】      （修正有）【課題】製造が容易なブレ補正装置、光学機器及びブレ補正装置の製造方法を提供する。【解決手段】蓋部８０と、基部と、蓋部８０と基部との間に配置されブレ補正時に光軸に垂直な平面内で移動する可動レンズ枠を有し、蓋部８０の第一のスリット８３と第二のスリット８４によって囲まれたばね部８５に設けられた鋼球挿入孔８６から、可動レンズ枠と蓋部８０との間に対物側鋼球９０ａ，９０ｂを挿入した後、蓋部８０を回転させて蓋部８０と基部を固定することにより対物側鋼球９０ａ，９０ｂを加圧する。【選択図】図２
2008039847.tif 000002
【特許請求の範囲】
【請求項１】
固定部と、
前記固定部に対向した状態で前記固定部に装着される装着部と、
前記固定部と前記装着部との間に配置され、ブレ補正時に光軸に垂直な平面内で移動する移動部と、
前記移動部と前記装着部との間に配置される第１の転動体と
を備え、
前記装着部は、
第１の位置と第２の位置との間を前記移動部に対向した状態で前記固定部に対して移動可能に設けられるとともに、
前記第１の位置において前記第１の転動体の通過を許容する孔部と、
前記第２の位置において前記第１の転動体を前記移動部に押圧する押圧部とを含むこと
を特徴とするブレ補正装置。
【請求項２】
請求項１に記載のブレ補正装置において、
前記押圧部は、片持ちばねであること
を特徴とするブレ補正装置。
【請求項３】
請求項２に記載のブレ補正装置において、
前記片持ちばねは、前記装着部に一体に形成されること
を特徴とするブレ補正装置。
【請求項４】
請求項１から請求項３までのいずれか１項に記載のブレ補正装置において、
前記装着部の前記第１の位置と前記第２の位置との間の移動を案内する案内部を備えること
を特徴とするブレ補正装置。
【請求項５】
請求項１から請求項４までのいずれか１項に記載のブレ補正装置において、
前記固定部と前記移動部との間に第２の転動体が配置されること
を特徴とするブレ補正装置。
【請求項６】
請求項１から請求項５までのいずれか１項に記載のブレ補正装置において、
前記移動部は、前記第１の転動体の前記移動部上の位置を所定の範囲内に制限する制限部を備えること
を特徴とするブレ補正装置。
【請求項７】
請求項１から請求項６までのいずれか１項に記載のブレ補正装置において、
前記移動部は、ブレ補正レンズ又は撮像素子を支持すること
を特徴とするブレ補正装置。
【請求項８】
請求項１から請求項７までのいずれか１項に記載のブレ補正装置において、
前記装着部は、前記第２の位置において前記固定部に固定されること
を特徴とするブレ補正装置。
【請求項９】
請求項１から請求項８までのいずれか１項に記載のブレ補正装置を含むこと
を特徴とする光学機器。
【請求項１０】
光軸に垂直な面内で移動可能な移動部が備えられた固定部に対して回転可能に装着部を配置し、
前記装着部に形成された孔部を通過させて転動体を前記装着部と前記移動部との間に挿入し、
前記装着部を前記移動部に対向させた状態で前記固定部に対して前記装着部を回転させて前記移動部と前記装着部との間で前記転動体を加圧すること
を特徴とするブレ補正装置の製造方法。
【請求項１１】
請求項１０に記載のブレ補正装置の製造方法において、
前記装着部に設けられた押圧部によって前記転動体を前記移動部と前記装着部との間で加圧すること
を特徴とするブレ補正装置の製造方法。
【請求項１２】
請求項１０又は請求項１１に記載のブレ補正装置の製造方法において、
前記固定部に対して前記装着部を回転させた状態で前記固定部に固定すること
を特徴とするブレ補正装置の製造方法。
【発明の詳細な説明】
【技術分野】
【０００１】
本発明は、ブレ補正装置、光学機器及びブレ補正装置の製造方法に関するものである。
【背景技術】
【０００２】
カメラ等に備えられたブレ補正装置は、ブレ補正レンズを有するシフト部材が、このシフト部材を挟んで配置された一対のボールによって装置本体に支持されたものが知られている。
【特許文献１】特開２００２−１９６３８３号公報
【発明の開示】
【発明が解決しようとする課題】
【０００３】
従来のブレ補正装置は、ボールの一方がシフト部材を装置本体に押圧するコイルばねの先端部に設けられた可動部材に収容され、他方がコイルを挟んで可動部材の反対側に配置される構造であるため、製造工程が複雑になるという問題があった。
本発明の課題は、製造が容易なブレ補正装置、光学機器及びブレ補正装置の製造方法を提供することである。
【課題を解決するための手段】
【０００４】
本発明は、以下の解決手段により、前記課題を解決する。なお、理解を容易にするために、本発明の実施形態を示す図面に対応する符号を付して説明するが、これに限定されるものではない。
請求項１の発明は、固定部（３０）と、前記固定部に対向した状態で前記固定部に装着される装着部（８０）と、前記固定部と前記装着部との間に配置され、ブレ補正時に光軸に垂直な平面内で移動する移動部（４０）と、前記移動部と前記装着部との間に配置される第１の転動体（９０）とを備え、前記装着部は、第１の位置と第２の位置との間を前記移動部に対向した状態で前記固定部に対して移動可能に設けられるとともに、前記第１の位置において前記第１の転動体の通過を許容する孔部（８６）と、前記第２の位置において前記第１の転動体を前記移動部に押圧する押圧部（８５）とを含むことを特徴とするブレ補正装置（１０）である。
【０００５】
請求項２の発明は、請求項１に記載のブレ補正装置において、前記押圧部（８５）は、片持ちばねであることを特徴とするブレ補正装置（１０）である。
請求項３の発明は、請求項２に記載のブレ補正装置において、前記片持ちばねは、前記装着部（８０）に一体に形成されることを特徴とするブレ補正装置（１０）である。
請求項４の発明は、請求項１から請求項３までのいずれか１項に記載のブレ補正装置において、前記装着部（８０）の前記第１の位置と前記第２の位置との間の移動を案内する案内部（８２、Ｓ）を備えることを特徴とするブレ補正装置（１０）である。
請求項５の発明は、請求項１から請求項４までのいずれか１項に記載のブレ補正装置において、前記固定部（３０）と前記移動部（４０）との間に第２の転動体（７０）が配置されることを特徴とするブレ補正装置（１０）である。
【０００６】
請求項６の発明は、請求項１から請求項５までのいずれか１項に記載のブレ補正装置において、前記移動部（４０）は、前記第１の転動体（９０）の前記移動部上の位置を所定の範囲内に制限する制限部（４１）を備えることを特徴とするブレ補正装置（１０）である。
請求項７の発明は、請求項１から請求項６までのいずれか１項に記載のブレ補正装置において、前記移動部（４０）は、ブレ補正レンズ（２０）又は撮像素子を支持することを特徴とするブレ補正装置（１０）である。
請求項８の発明は、請求項１から請求項７までのいずれか１項に記載のブレ補正装置において、前記装着部（８０）は、前記第２の位置において前記固定部（３０）に固定されることを特徴とするブレ補正装置（１０）である。
請求項９の発明は、請求項１から請求項８までのいずれか１項に記載のブレ補正装置（１０）を含むことを特徴とする光学機器（１００）である。
【０００７】
請求項１０の発明は、光軸に垂直な面内で移動可能な移動部（４０）が備えられた固定部（３０）に対して回転可能に装着部（８０）を配置し、前記装着部に形成された孔部（８６）を通過させて転動体（９０）を前記装着部と前記移動部との間に挿入し、前記装着部を前記移動部に対向させた状態で前記固定部に対して前記装着部を回転させて前記移動部と前記装着部との間で前記転動体を加圧することを特徴とするブレ補正装置（１０）の製造方法である。
請求項１１の発明は、請求項１０に記載のブレ補正装置の製造方法において、前記装着部（８０）に設けられた押圧部（８５）によって前記転動体（９０）を前記移動部（４０）と前記装着部との間で加圧することを特徴とするブレ補正装置（１０）の製造方法である。
請求項１２の発明は、請求項１０又は請求項１１に記載のブレ補正装置の製造方法において、前記固定部（３０）に対して前記装着部（８０）を回転させた状態で前記固定部に固定することを特徴とするブレ補正装置（１０）の製造方法である。
なお、符号を付して説明した構成は適宜変更してもよく、また、少なくとも一部を他の構成物に代替してもよい。
【発明の効果】
【０００８】
以上説明したように、本発明によれば、装着部を固定部に装着した後に、転動体をこれらの間に配置して加圧できるからブレ補正装置の製造が容易である。
【発明を実施するための最良の形態】
【０００９】
［実施形態］
以下、図面を参照して、本発明の実施形態をあげて、さらに詳しく説明する。なお、以下の実施形態は、ブレ補正装置を備えた光学機器として、カメラシステムを例にとって説明する。
図１は、実施形態のカメラシステムの構成を示す斜視図である。
図２は、図１のカメラシステムに備えられたブレ補正装置を光軸方向対物側から見た平面図であり、（ａ）は、蓋部が装着されていない状態を示し、（ｂ）は、蓋部が装着された状態を示している。
図３は、図２のブレ補正装置の光軸を含む断面図であり、（ａ）、（ｂ）は、それぞれ図２（ｂ）のａ−ａ部矢視断面図、ｂ−ｂ部矢視断面図を示している。
【００１０】
実施形態のカメラシステム１００は、交換レンズ１及びカメラ本体２を有している。
交換レンズ１は、全体的な形状が円筒形状とされ、光軸方向像側の端部がマウント部１ａを介してカメラ本体２に対して着脱可能に固定されている。この交換レンズ１は、光軸Ｚ上に配列された複数のレンズ群（ブレ補正レンズ２０以外は、図示省略）を備えている。
交換レンズ１は、ブレ補正装置１０を備えている。
ブレ補正装置１０は、ブレ補正レンズ２０、基部３０、可動レンズ枠４０、ボイスコイルモータ５０（ＶＣＭ５０）、位置検出部６０、像側鋼球７０、蓋部８０、対物側鋼球９０を備えている（基部３０、像側鋼球７０、蓋部８０及び対物側鋼球９０は、図２参照）。
【００１１】
ブレ補正装置１０は、撮影光学系の一部であるブレ補正レンズ２０を、光軸Ｚに略直交する面内で撮影光学系の焦点面に配置された不図示の撮影部（撮像素子、又は、フィルム）に対して、撮影者の手ブレ等に起因する被写体像の像ブレを打ち消す方向に移動することによって、撮影部における像ブレを補正するものである。
基部３０は、図３に示すように、本体部３１、支持部３２及び固定部３３を備えている。
本体部３１は、円環状の部材であり、その中心軸線が光軸Ｚと略一致した状態で配置されている。
支持部３２は、本体部３１の光軸方向像側の端部から本体部３１の内径側につば状に突き出して形成された部分である。
【００１２】
固定部３３は、後述する蓋部８０を基部３０に固定するねじＳに対してねじ結合するねじ孔３３ａが形成された部分であり、本体部３１の内周面からその内径側に突き出して形成されている。この固定部３３は、例えば、光軸Ｚ回りに略均等な間隔で３箇所設けられている。
可動レンズ枠４０は、その中央部に開口部を備えた円盤状の部材であり、基部３０の内径側に挿入されている。前述のブレ補正レンズ２０は、この可動レンズ枠４０の中央部に装着されている。
【００１３】
ＶＣＭ５０は、光軸Ｚに直交する平面内において、可動レンズ枠４０を基部３０に対し直交する２軸方向（以下、Ｘ軸、Ｙ軸と称して説明する）に駆動する公知の電磁アクチュエータである。ＶＣＭ５０は、Ｘ軸方向用のものとＹ軸方向用のものとが、ひとつずつ設けられている。
以下、ＶＣＭ５０、後述する位置検出部６０及びこれらに含まれる各要素について、Ｘ軸方向用のものに記号ｘを、Ｙ軸方向用のものに記号ｙを付して説明する。また、ＶＣＭ５０、位置検出部６０は、Ｘ軸方向用のものとＹ軸方向用のものの構成が実質的に同一であるので、ここでは、Ｘ軸方向用のもの（ＶＣＭ５０ｘ、位置検出部６０ｘ）についてのみ説明する。
【００１４】
ＶＣＭ５０ｘは、コイル５１ｘ、マグネット５２ｘ、ヨーク５３ｘ、５４ｘを備えている。
コイル５１ｘは、可動レンズ枠４０に固定された電気巻線子である。
マグネット５２ｘは、コイル５１ｘに対向した状態で基部３０の支持部３２に固定された永久磁石である。
ヨーク５３ｘは、板状の磁性体であり、マグネット５２ｘと支持部３２との間に配置されている。ヨーク５４ｘも、ヨーク５３ｘと同様な板状の磁性体であり、蓋部８０におけるコイル５１ｘに対向する位置に固定されている。
【００１５】
位置検出部６０は、可動レンズ枠４０の基部３０に対する位置を検出するものであり、ＶＣＭ５０と同様に、Ｘ軸方向用の位置検出部６０ｘ、及び、Ｙ軸方向用の位置検出部６０ｙを備えている。
これらの位置検出部６０のうち、位置検出部６０ｘは、光軸Ｚを挟んでＶＣＭ５０ｘの反対側に配置され、位置検出部６０ｙは、光軸Ｚを挟んでＶＣＭ５０ｙの反対側に配置されている。
【００１６】
位置検出部６０ｘは、ホール素子６１ｘ、マグネット６２ｘ、ヨーク６３ｘを備えている。
ホール素子６１ｘは、可動レンズ枠４０ｘに固定された公知の磁気センサである。
マグネット６２ｘは、ホール素子６１ｘに対向した状態で基部３０の支持部３２に固定された永久磁石である。
ヨーク６３ｘは、マグネット６２ｘと支持部３２との間に配置された板状の磁性体である。
【００１７】
像側鋼球７０は、可動レンズ枠４０を基部３０に対して光軸Ｚに垂直な平面内において移動可能に支持するものである。像側鋼球７０は、基部３１の支持部３２と可動レンズ枠４０との間に配置され、支持部３２の可動レンズ枠４０に対向する面部と、可動レンズ枠４０における支持部３２に対向する面部から支持部３２に向けて突き出して形成された凸部とに挟持されている。
【００１８】
像側鋼球７０は、光軸Ｚ回りに略均等な間隔で、例えば、３個配置されている。
これらの像側鋼球７０は、基部３０に設けられた鋼球保持部３４に保持されている。
鋼球保持部３４は、支持部３２の内径側の端部に設けられ、支持部３２から光軸方向対物側に付き出して形成された円筒状の部分である。像側鋼球７０は、この鋼球保持部３４の内径側に収容されている。
【００１９】
蓋部８０は、図２に示すように、光軸方向から見た平面形が略円形とされた板状の部材であり、基部３０の本体部３１における光軸方向対物側の端部に装着されている。この蓋部８０は、その中央部に、略円形の開口部８１を備えている。この開口部８１は、ブレ補正レンズ２０に入射する像光の光路を遮らないようにするためのものである。
蓋部８０は、その外周縁部に固定孔８２を備えている。固定孔８２は、例えば、光軸回りに略均等な間隔で３箇所設けられている。この固定孔８２は、蓋部８０の外周縁部に沿ってカーブして形成された長穴である。
蓋部８０は、この固定孔８２を貫通するねじＳが基部３０の固定部３３に設けられたねじ孔３３ａにねじ結合することによって、基部３０に固定されるようになっている。
【００２０】
蓋部８０は、第１のスリット８３、第２のスリット８４を備えている。
第１のスリット８３は、蓋部８０の径方向と略平行な方向に延在して形成され、一方の端部が蓋部８０の内周縁部に開口するとともに、他方の端部が蓋部８０の内周縁部と外周縁部との略中間に配置されている。この第１のスリット８３は、光軸Ｚを挟んで、例えば、一対設けられている。
【００２１】
第２のスリット８４は、その一方の端部が第１のスリット８３の他方の端部に連続して形成され、蓋部８０の周方向に延在して設けられている。この第２のスリット８４は、図２（ｂ）に示す、蓋部８０を光軸方向対物側から見た平面視において、第１のスリット８３の他方の端部を始点として、光軸Ｚを中心に時計回りの方向に蓋部８０を切り欠いたように形成されている。
このように、蓋部８０は、第１のスリット８３及び第２のスリット８４によって形成された鉤状のスリットが光軸Ｚを挟んで２箇所に形成されている。
【００２２】
ここで、蓋部８０における第１のスリット８３と第２のスリット８４によって囲まれた領域は、片持ちばねとして機能する。片持ちばねとは、例えば、一方の端部が固定端とされ、かつ、他方の端部が自由端とされた梁状の部材を備え、自由端に荷重が作用した場合にこの荷重に応じて変形するとともに、荷重が除去された場合に元の形状に復元するものである。
【００２３】
以下、蓋部８０において、この第１のスリット８３と第２のスリット８４によって囲まれた領域を、ばね部８５と称して説明する。また、ばね部８５において、固定端として機能する端部を基端部、自由端として機能する端部を先端部と称して説明する。
このばね部８５は、第１のスリット８３と第２のスリット８４との境界部が曲線状に形成されている。また、蓋部８０の開口部８１は、ばね部８５が設けられている部分において、他の部分よりもその径方向寸法が大きくなっている。
【００２４】
ばね部８５は、鋼球挿入孔８６を備えている。
鋼球挿入孔８６は、ばね部８５における先端部側の領域に形成された円形の穴である。鋼球挿入孔８６は、その直径寸法が後述する対物側鋼球９０の直径寸法よりも大きくなっており、対物側鋼球９０の通過が可能となっている。
この鋼球挿入孔８６の縁部のうち、最もばね部８５の先端部に接近した部分と、ばね部８５の先端部との距離は、例えば、対物側鋼球９０の直径と略同じ程度に設定されている。以下、このばね部８５の先端部に設けられた領域を、先端側領域８５ａと称して説明する。
【００２５】
対物側鋼球９０は、可動レンズ枠４０と蓋部８０との間に配置されている。
対物側鋼球９０は、像側鋼球７０と協働して可動レンズ枠４０を基部３０に対して支持するものであり、ブレ補正レンズ２０を挟んで２個配置されている。これらの対物側鋼球９０のうち、一方の対物側鋼球９０ａは、一組のホール素子６１ｘ、６１ｙの間に配置され、他方の対物側鋼球９０ｂは、一組のコイル５１ｘ、５１ｙの間に配置されている。
これらの対物側鋼球９０は、可動レンズ枠４０に設けられた鋼球保持部４１に保持されている。鋼球保持部４１は、可動レンズ枠４０の内径側の端部と外径側の端部との中間部に設けられている。鋼球保持部４１は、蓋部８０に向けて付き出して形成された円筒状の部分であり、対物側鋼球９０は、この鋼球保持部４１の内径側に収容されている。
対物側鋼球９０の直径寸法は、可動レンズ枠４０の蓋部８０に対向する面部と、蓋部８０の可動レンズ枠４０に対向する面部との距離よりも大きく設定されている。
【００２６】
以上説明したカメラシステム１００は、カメラ本体２に設けられたレリ−ズスイッチ３が操作されることによって、交換レンズ１に備えられたブレ検出センサ４がＸ軸方向及びＹ軸方向の加速度成分を出力する。ここで、Ｙ軸回りのブレは、ヨーイング（Ｙａｗ）と、Ｘ軸まわりのブレは、ピッチング（Ｐｉｔｃｈ）とそれぞれ称され、ブレ補正動作は、例えば、この２方向のブレに起因する像ブレを補正することにより行われる。
ブレ補正装置１０は、ブレ検出センサ４の出力に基づいて、不図示の演算部によりブレ補正レンズ２０の駆動方向及び駆動量を算出し、その算出結果に従ってＶＣＭ５０及び位置検出部６０を用いてブレ補正レンズ２０を駆動制御して、像ブレの補正を行うようになっている。
【００２７】
次に、実施形態のカメラシステム１に備えられたブレ補正装置１０の製造方法について説明する。
図４は、図２に示すブレ補正装置の製造方法を示す図であり、図２（ｂ）のＩＶ−ＩＶ部矢視断面図である。また、図４（ａ）、（ｂ）は、蓋部の回転前後の状態をそれぞれ示している。
ブレ補正装置１０の製造は、基部３０が固定して行われる。このとき基部３０は、例えば、その中心軸線が略鉛直方向に配置され、支持部３２が設けられた側の端部が下方に配置される。
基部３０は、鋼球保持部３４に像側鋼球７０が挿入され、この像側鋼球７０の上方に可動レンズ枠４０が載せられる。
【００２８】
この後、基部３０は、蓋部８０が装着される。
このとき蓋部８０は、図４（ａ）に示す、鋼球挿入孔が可動レンズ枠４０の鋼球保持部４１に対して鉛直方向に重ねられた状態で装着される。以下、このときの蓋部８０の位置を第１の位置と称して説明する。
次いで、可動レンズ枠４０の鋼球保持部４１に対物側鋼球９０が収容される。
鋼球挿入孔８６の直径は、対物側鋼球９０の直径よりも大きく設定されているので、蓋部８０が第１の位置にある場合、対物側鋼球９０を鋼球挿入孔８６を通過させて鋼球保持部４１に収容することができる。
【００２９】
また、蓋部８０のねじ孔８２は、蓋部８０が第１の位置に配置された状態において、基部３０の固定部３３と鉛直方向に重なるようにその位置が設定されている。蓋部８０のねじ孔８２は、蓋部８０の外周縁部に沿って形成された長穴であり、ねじＳは、ねじ孔８２の縁部の周方向に沿った一方の端部側の領域を貫通する。
ねじ孔８２を貫通したねじＳは、固定部３３のねじ孔３３ａにねじ結合する。なお、この第１の位置において、ねじＳは、そのねじ山が形成された領域のうち、例えば、半分程度がねじ結合され、蓋部８０は、基部３０に対して回転可能な仮固定の状態とされる。
【００３０】
次いで、蓋部８０は、第１の位置から基部３０に対して回転される。このときの蓋部８０は、ねじＳ及びねじ孔８２によってその回転方向、回転角度が案内される。本実施形態のねじ孔８２は、蓋部８０を鉛直方向上方、すなわち、光軸方向対物側から見た場合に、蓋部８０の時計回り方向の回転を案内するように形成されている。
第２のスリット８４は、蓋部８０を光軸方向対物側から見た場合、第１のスリット８３の他方の端部を始点して、時計回りの方向に蓋部８０を切り欠いたように形成されているので、蓋部８０を時計回りに回転させると、可動レンズ枠４０に設けられた鋼球保持部４１の開口部は、ばね部８５の鋼球挿入孔８６よりも先端部側の領域に形成された先端側領域８５ａによって閉塞される。
以下、鋼球保持部４１がばね部８５の先端側領域８５ａによって閉塞された際の蓋部８０の位置を第２の位置と称して説明する。
【００３１】
ここで、対物側鋼球９０は、その直径寸法が可動レンズ枠４０の蓋部８０に対向する面部と、蓋部８０の可動レンズ枠４０に対向する面部との距離よりも大きく設定されている。したがって、対物側鋼球９０は、蓋部８０が回転して鋼球保持部４１を閉塞する際、蓋部８０の鋼球挿入孔８６が形成された部分の周縁部を押圧する。
ばね部８５は、球体である対物側鋼球９０に押圧されると、先端側領域８５ａが上方に変位する（図４（ｂ）参照）。そして、ばね部８５は、片持ちばねとして機能するので原形状に復元しようとする。
これによって、先端側領域８５ａは、対物側鋼球９０を可動レンズ枠４０に対して押圧し、ばね部８５は、可動レンズ枠４０の基部３０に対するがたつきを防止する押さえばねとして機能する。
蓋部８０は、この第２の位置においてねじＳのねじ山が形成された領域の略全域が固定部３３のねじ孔３３ａに対してねじ結合し、基部３０に対して固定される。
【００３２】
以上、説明したように、本実施形態のブレ補正装置１０及びその製造方法によれば、以下の効果を得ることができる。
（１）蓋部８０を基部３０に対して回転させることによって、対物側鋼球９０の鋼球保持部４１からの離脱を制限できるので、ブレ補正装置１０の製造が容易である。また、蓋部８０に形成されたばね部８５によって可動レンズ枠４０側を基部３０に押圧することができるので、例えば、別途押さえばねを蓋部８０に装着する場合に比べ、ブレ補正装置１０の製造が容易である。
（２）対物側鋼球９０を押圧するばね部８５を片持ちばね構造とし、蓋部８０に一体に形成したので部品点数を低減でき、ブレ補正装置１０のコストダウンを図ることができる。
（３）対物側鋼球９０を鋼球保持部４１に収容した後に、ねじＳによって蓋部８０を基部３０に対して仮固定の状態とするので、バネ部８５を撓ませながら蓋部８０を基部３０に固定する際、バネ部８５の反力によって蓋部８０が基部３０から浮き上がることを防止できる。これにより、蓋部８０を基部３０に対して押さえながら組み立てる必要がないので、ブレ補正装置１０の組み立て作業が容易になる。
（４）蓋部８０に形成された固定孔８２によって、蓋部８０の回転方向等が案内されるから、ブレ補正装置１０の製造が容易である。
（５）可動レンズ枠４０と基部３０との間に像側鋼球７０を配置したから、可動レンズ枠４０の動作が安定する。
（６）対物側鋼球９０を鋼球保持部４１に収容したから、対物側鋼球９０が可動レンズ枠４０から脱落することを防止できる。
【００３３】
［変形形態］
以上説明した実施形態に限定されることなく、種々の変形や変更が可能であって、それらも本発明の技術的範囲内である。
（１）本発明のブレ補正装置の構成は、実施形態に記載したものに限らず、適宜変更が可能である。例えば、実施形態のブレ補正装置は、ブレ補正レンズを光軸に垂直な平面内で駆動するものであったが、これに限らず、例えば、撮像素子をその撮像面に平行な面内で駆動するものであってもよい。
（２）実施形態において、転動体は、鋼球であったが、これに限らず、例えば、セラミック製のボールであってもよい。
（３）実施形態の蓋部は、第１の位置から第２の位置へ回転移動するものであったが、これに限らず、例えば、直進移動であってもよい。
【図面の簡単な説明】
【００３４】
【図１】実施形態のカメラシステムの構成を示す斜視図である。
【図２】図１のカメラシステムに備えられたブレ補正装置を光軸方向対物側から見た平面図である。
【図３】図２のブレ補正装置の光軸を含む断面図である。
【図４】図２のブレ補正装置の製造方法を示す図である。
【符号の説明】
【００３５】
１  交換レンズ  ：  １０  ブレ補正装置  ：  ２０ブレ補正レンズ  ：  ３０  基部  ：  ４０  可動レンズ枠  ：  ８０  蓋部  ：  ８６  鋼球挿入孔  ：  ９０  対物側鋼球  ：  １００  カメラシステム
【図１】
2008039847.tif 000003
【図２】
2008039847.tif 000004
【図３】
2008039847.tif 000005
【図４】
2008039847.tif 000006